(57)【特許請求の範囲】
【請求項１】
無線ＬＡＮ端末および複数のアクセスポイントを備える無線ＬＡＮシステムに用いられ、ＬＡＮを介した通信が可能なアクセスポイントであって、
自身に帰属中の前記無線ＬＡＮ端末から報告された、ハンドオーバ後の受信電波強度に基づいて、帰属中のアクセスポイント以外の他のアクセスポイントの検索を行なうか否かの判定に用いられるサーチ実行レベルを算出するサーチ実行レベル算出手段と、
前記サーチ実行レベル算出手段によって算出されたサーチ実行レベルを、前記ハンドオーバ前アクセスポイントの識別情報に基づいて、自アクセスポイントの識別情報と共に、前記ハンドオーバ前アクセスポイントへ転送するサーチ実行レベル転送手段と、
他のアクセスポイントから、当該他のアクセスポイントの識別情報および前記サーチ実行レベルを受け取った場合に、当該サーチ実行レベルを当該他のアクセスポイントの識別情報に対応付けて格納するサーチ実行レベル格納手段と、
前記サーチ実行レベル格納手段に格納された前記サーチ実行レベルを、対応するアクセスポイントの識別情報と共に、無線通信を用いて、配下の無線ＬＡＮ端末に通知するサーチ実行レベル通知手段と
を備えることを特徴とするアクセスポイント。
【請求項２】
請求項１に記載のアクセスポイントであって、
前記サーチ実行レベル算出手段は、
予め定められた受信電波強度であるＲＢｍｉｎ（ｄＢｍ）、および、複数の前記無線ＬＡＮ端末から報告された、ハンドオーバ後の受信電波強度の平均であるＲＡａｖｅ（ｄＢｍ）を用いて、以下の関係式に基づいて、前記サーチ実行レベルＲｔｈ（ｄＢｍ）を算出することを特徴とするアクセスポイント。
Ｒｔｈ＝ＲＢｍｉｎ＋０．５×（ＲＡａｖｅ−ＲＢｍｉｎ）
【請求項３】
請求項２に記載のアクセスポイントであって、
他のアクセスポイントからハンドオーバしてきた無線ＬＡＮ端末から、ハンドオーバ前後の受信信号品質を、当該無線ＬＡＮ端末がハンドオーバ前に帰属していたアクセスポイントであるハンドオーバ前アクセスポイントの識別情報と共に取得する信号品質取得手段をさらに備え、
前記サーチ実行レベル算出手段は、
前記無線ＬＡＮ端末から受け取ったハンドオーバ前後の受信信号品質と、当該無線ＬＡＮ端末がハンドオーバを行う前に帰属していたアクセスポイントから通知された、当該無線ＬＡＮ端末から送信された電波の受信信号品質と、自アクセスポイントによって測定された、当該無線ＬＡＮ端末から送信された電波の受信信号品質とに基づいて、
ハンドオーバ前の受信信号品質が、ハンドオーバ後の受信信号品質よりも、予め定められた第１の値以上良い場合に、算出したサーチ実行レベルから予め定められた第２の値を減算した値を、新たなサーチ実行レベルとして算出し、
ハンドオーバ前の受信信号品質が、ハンドオーバ後の受信信号品質よりも、予め定められた第３の値以上悪い場合に、算出したサーチ実行レベルに予め定められた第４の値を加算した値を、新たなサーチ実行レベルとして算出することを特徴とするアクセスポイント。
【請求項４】
請求項１から３のいずれか一項に記載のアクセスポイントであって、
前記サーチ実行レベル算出手段は、
前記信号品質取得手段が、他のアクセスポイントからハンドオーバしてきた無線ＬＡＮ端末から、ハンドオーバ前後の受信信号品質を取得する都度、当該受信信号品質に基づいて新たなサーチ実行レベルを算出し、
前記サーチ実行レベル転送手段は、
前記サーチ実行レベル算出手段によって新たなサーチ実行レベルが算出される都度、算出された新たなサーチ実行レベルを、前記ハンドオーバ前アクセスポイントへ転送することを特徴とするアクセスポイント。
【請求項５】
請求項３または４に記載のアクセスポイントと、
無線ＬＡＮ端末と
を備え、
前記無線ＬＡＮ端末は、
帰属中のアクセスポイント以外の他のアクセスポイントの検索を行なうか否かの判定に用いられる受信電波強度に対応するサーチ実行レベルを、帰属中のアクセスポイントから取得するサーチ実行レベル取得手段と、
帰属中のアクセスポイントからの受信電波強度を測定する受信電波強度測定手段と、
前記受信電波強度測定手段によって測定された受信電波強度が、前記サーチ実行レベルから予め定められた範囲内にある場合に、他のアクセスポイントによって使用されている無線チャネルを検索するチャネルサーチ手段と、
前記チャネルサーチ手段によって検出された無線チャネルを使用する他のアクセスポイントからの受信電波強度が、予め定められた条件を満たす場合に、当該他のアクセスポイントへのハンドオーバ処理を実行するハンドオーバ処理手段と、
ハンドオーバ前後の受信信号品質を測定し、測定した受信信号品質を、ハンドオーバ前に帰属していたアクセスポイントの識別情報と共に、ハンドオーバ後に帰属したアクセスポイントへ通知する信号品質通知手段と
を備えることを特徴とする無線ＬＡＮシステム。
【請求項６】
請求項５に記載の無線ＬＡＮシステムであって、
前記ハンドオーバ処理手段は、
前記チャネルサーチ手段によって検出された他のアクセスポイントからの受信電波強度が、帰属中のアクセスポイントからの受信電波強度よりも、予め定められた値以上高い場合に、当該他のアクセスポイントへのハンドオーバ処理を実行することを特徴とする無線ＬＡＮシステム。
【発明の詳細な説明】
【技術分野】
【０００１】
本発明は、無線ＬＡＮの規格に基づいて無線通信を行う無線ＬＡＮ端末およびアクセスポイントに関する。
【背景技術】
【０００２】
無線ＬＡＮシステムでは、アクセスポイントがカバーする範囲や、通信容量を拡大する目的で、複数台のアクセスポイントを配置する方法がとられている。このような無線ＬＡＮシステムに用いられる無線ＬＡＮ端末は、ハンドオーバ技術を用いて複数のアクセスポイント間を自由に移動することが許されている。また、昨今、音声通信機能を備える無線ＬＡＮ端末を有する無線ＬＡＮ電話システムの需要が高まっている。しかしながら、通信品質が悪い状況であっても再送を繰り返すことによりデータの送受信が可能なデータ通信端末とは異なり、音声通信端末にはリアルタイム性を達成するのに十分な、高い通信品質が要求される。高い通信品質を保つためには、より受信信号品質の良いアクセスポイントにハンドオーバすることが望まれるが、ハンドオーバを実行する受信信号レベルが適切であることが重要となる。
【０００３】
これを回避するために、特許文献１には、アクセスポイントが隣接する他のアクセスポイントからの受信電波強度を計測し、計測した結果を基に最適なハンドオーバ閾値を決定し、決定したハンドオーバ閾値を無線ＬＡＮ端末に通知する技術が開示されている。
【０００４】
【特許文献１】特開２００４−７５０４号公報
【発明の開示】
【発明が解決しようとする課題】
【０００５】
しかし、複数のアクセスポイントを配置して無線ＬＡＮシステムを構成する場合、電波は目に見えないこと、アクセスポイントから送信される電波の強度は、周辺の障害物の配置等によって複雑な分布を示すこと等の理由から、それぞれのアクセスポイントが、隣接する他のアクセスポイントからの電波を受信できるように配置することは難しい。また、複数のアクセスポイントを緊密に配置することによって、上記特許文献１に記載の技術を利用することも考えられるが、狭い領域に、所望の通信帯域を確保するために必要な台数よりも多い数のアクセスポイントを配置することは、費用対効果の観点から好ましいとはいえない。
【０００６】
本発明は上記事情を鑑みてなされたものであり、本発明の目的は、複数のアクセスポイントが配置される無線ＬＡＮシステムにおいて、アクセスポイントの電波が他のアクセスポイントへ届かないように配置された場合であっても、ハンドオーバの開始を判定するためにチャネルサーチを実行する受信電波強度の値を適切に算出することができるようにすることにある。
【課題を解決するための手段】
【０００７】
上記課題を解決するために、本発明のアクセスポイントは、他のアクセスポイントからハンドオーバしてきた無線ＬＡＮ端末から、ハンドオーバ前後の受信信号品質を取得し、取得した受信信号品質に基づいて、無線ＬＡＮ端末がハンドオーバを行なうためのチャネルサーチを実行する受信電波強度の値を算出して、無線ＬＡＮ端末に通知する。
【０００８】
例えば、本発明の一態様は、無線ＬＡＮ端末および複数のアクセスポイントを備える無線ＬＡＮシステムに用いられ、ＬＡＮを介した通信が可能なアクセスポイントであって、自身に帰属中の前記無線ＬＡＮ端末から報告された、ハンドオーバ後の受信電波強度に基づいて、帰属中のアクセスポイント以外の他のアクセスポイントの検索を行なうか否かの判定に用いられるサーチ実行レベルを算出するサーチ実行レベル算出手段と、サーチ実行レベル算出手段によって算出されたサーチ実行レベルを、ハンドオーバ前アクセスポイントの識別情報に基づいて、自アクセスポイントの識別情報と共に、ハンドオーバ前アクセスポイントへ転送するサーチ実行レベル転送手段と、他のアクセスポイントから、当該他のアクセスポイントの識別情報およびサーチ実行レベルを受け取った場合に、当該サーチ実行レベルを当該他のアクセスポイントの識別情報に対応付けて格納するサーチ実行レベル格納手段と、サーチ実行レベル格納手段に格納されたサーチ実行レベルを、対応するアクセスポイントの識別情報と共に、無線通信を用いて、配下の無線ＬＡＮ端末に通知するサーチ実行レベル通知手段とを備えることを特徴とするアクセスポイントを提供する。
【発明の効果】
【００１０】
本発明の無線ＬＡＮシステムによれば、複数のアクセスポイントが配置される無線ＬＡＮシステムにおいて、アクセスポイントの電波が他のアクセスポイントへ届かないように配置された場合であっても、ハンドオーバの開始を判定するためにチャネルサーチを実行する受信電波強度の値を適切に算出することができる。
【発明を実施するための最良の形態】
【００１１】
以下、本発明の実施の形態について、図面を参照しながら説明する。
【００１２】
図１は、本発明の実施形態に係る無線ＬＡＮシステム１０の構成の一例を示す。無線ＬＡＮシステム１０は、無線ＬＡＮ端末２０および複数のアクセスポイント３０を備える。それぞれのアクセスポイント３０は、対応する電波強度分布３１を示す電波を出力している。なお、それぞれの電波強度分布３１は、説明を簡単にするために直線で示している。
【００１３】
無線ＬＡＮ端末２０は、ＩＥＥＥ８０２．１１ａやＩＥＥＥ８０２．１１ｂ等の無線ＬＡＮの規格に基づいて、最寄りのアクセスポイント３０と無線通信を行うことにより、当該アクセスポイント３０を介して、他の無線ＬＡＮ端末２０や有線ＬＡＮ１１に接続された他の通信機器１２と通信を行う。
【００１４】
それぞれのアクセスポイント３０は、有線ＬＡＮ１１に接続されている。それぞれのアクセスポイント３０は、無線ＬＡＮに基づく無線通信によって、無線ＬＡＮ端末２０により送受信される通信フレームを、他の無線ＬＡＮ端末２０や通信機器１２へ中継し、通信機器１２により送受信される通信フレームを、無線ＬＡＮに基づく無線通信によって、配下の無線ＬＡＮ端末２０へ中継する。なお、図１において、アクセスポイント３０間を接続するネットワークとして有線ＬＡＮ１１を例に説明しているが、本発明はこれに限られず、アクセスポイント３０間は、無線ＬＡＮ端末２０が使用する無線通信方式と異なる方式の無線ネットワークにより接続されていてもよい。
【００１５】
複数のアクセスポイント３０は、実際に使用される環境において等間隔に配置されることは少なく、例えば図１に示すように、アクセスポイント３０ａとアクセスポイント３０ｂとの間の距離よりも、アクセスポイント３０ｂとアクセスポイント３０ｃとの間の距離が近くなるように配置される場合がある。このような場合、無線ＬＡＮ端末２０が、アクセスポイント３０ａとアクセスポイント３０ｂとの間でハンドオーバを実行するとすれば、帰属中のアクセスポイント３０からの受信電波強度が低くなってからハンドオーバを実行することになる。受信電波強度が低くなると、ＢＥＲ（Ｂｉｔ  Ｅｒｒｏｒ  Ｒａｔｅ）やＳＮＲ（Ｓｉｇｎａｌ  ｔｏ  Ｎｏｉｓｅ  Ｒａｔｉｏ）等の受信信号品質が悪化する場合がある。
【００１６】
ここで、無線ＬＡＮ端末２０は、ハンドオーバを実行する場合、ハンドオーバに先立って、他のアクセスポイント３０によって使用されている無線チャネルに送信されている電波の受信電波強度を測定するチャネルサーチを実行する。
【００１７】
一方、無線ＬＡＮ端末２０が、アクセスポイント３０ｂとアクセスポイント３０ｃとの間でハンドオーバを実行するとすれば、帰属中のアクセスポイント３０ｂからの受信電波強度が高い状態のまま他のアクセスポイント３０ｃへハンドオーバすることができ、受信信号品質が良い状態でハンドオーバすることができる。このように、アクセスポイント３０の配置によって、ハンドオーバを実行すべき受信電波強度の値が異なる場合がある。なお、アクセスポイント３０からの電波は、障害物等の影響を受けて複雑な分布を示すため、複数のアクセスポイント３０を等間隔に配置したとしても、ハンドオーバを実行すべき受信電波強度の値は、それぞれのアクセスポイント３０間で異なる場合が多い。
【００１８】
ここで、受信電波強度が十分高い状態から常にチャネルサーチを行なうことによって、帰属中のアクセスポイント３０よりも受信信号の品質が良い他のアクセスポイント３０を検出した時点でハンドオーバを実行することも考えられる。しかし、常にチャネルサーチを行なうことは、処理負荷の増大による通信データの取りこぼしや、消費電力の増大による連続通信時間の減少等の不都合を引き起こす。
【００１９】
そこで、本発明の無線ＬＡＮシステム１０は、ハンドオーバに先立って行なうチャネルサーチを実行する受信電波強度であるサーチ実行レベルを、それぞれのアクセスポイント３０毎に算出させて配下の無線ＬＡＮ端末２０に通知し、それぞれの無線ＬＡＮ端末２０は、帰属中のアクセスポイント３０からサーチ実行レベルを取得し、帰属中のアクセスポイント３０からの受信電波強度がサーチ実行レベルから所定範囲以内となった場合に、ハンドオーバ先の他のアクセスポイント３０を検索するためのチャネルサーチを実行する。
【００２０】
これにより、無線ＬＡＮ端末２０は、チャネルサーチを実行する回数を少なくすることができ、データ通信に影響を与えることなく、適切にハンドオーバを実行することができる。
【００２１】
以下、サーチ実行レベルを算出する方法等について、詳しく説明する。
【００２２】
図２は、無線ＬＡＮ端末２０の詳細な機能構成の一例を示す。無線ＬＡＮ端末２０は、サーチ実行レベル取得部２０１、受信電波強度測定部２００、チャネルサーチ部２０２、ハンドオーバ処理部２０３、信号品質通知部２０４、通信データ処理部２０５、および無線通信部２０６を備える。
【００２３】
無線通信部２０６は、アクセスポイント３０と無線ＬＡＮに基づく無線通信を行う。本実施形態において、無線通信部２０６は、帰属処理や認証処理等の公知の無線ＬＡＮ通信に関する処理を行う機能を有する。通信データ処理部２０５は、無線通信部２０６を介してデータ通信を行う機能を有する。
【００２４】
サーチ実行レベル取得部２０１は、自無線ＬＡＮ端末２０が帰属中のアクセスポイント３０から、１つ以上のサーチ実行レベルを、当該サーチ実行レベルに対応するアクセスポイント３０の識別情報と共に、無線通信部２０６を介して取得して格納する。サーチ実行レベル取得部２０１は、例えば、新たにアクセスポイント３０に帰属した場合や、アクセスポイント３０が送信するビーコン信号からサーチ実行レベルを取得する。なお、サーチ実行レベル取得部２０１は、自無線ＬＡＮ端末２０がハンドオーバを実行した場合に、格納しているサーチ実行レベルを全て消去する。
【００２５】
受信電波強度測定部２００は、帰属中のアクセスポイント３０からの受信電波強度を測定し、測定した結果をチャネルサーチ部２０２および信号品質通知部２０４へ送る。チャネルサーチ部２０２は、受信電波強度測定部２００から取得した受信電波強度が、サーチ実行レベル取得部２０１に格納されたサーチ実行レベルから予め定められた範囲内（例えば±０．５ｄＢ以内）にある場合に、無線通信部２０６を介してチャネルサーチを実行する。
【００２６】
そして、他のアクセスポイント３０からの電波を検出し、かつ、当該他のアクセスポイント３０からの受信電波強度が、予め定められた条件を満たす場合に、チャネルサーチ部２０２は、当該他のアクセスポイント３０へのハンドオーバをハンドオーバ処理部２０３へ指示する。ここで、予め定められた条件とは、例えば、他のアクセスポイント３０からの受信電波強度が、サーチ実行レベルよりも５ｄＢ以上高いことである。
【００２７】
サーチ実行レベル取得部２０１が複数のサーチ実行レベルを格納している場合、チャネルサーチ部２０２は、受信電波強度測定部２００から取得した受信電波強度が、サーチ実行レベル取得部２０１に格納されたいずれかのサーチ実行レベルから予め定められた範囲内にある場合に、チャネルサーチを実行する。
【００２８】
なお、他の例として、チャネルサーチ部２０２は、受信電波強度測定部２００から前回取得した受信電波強度を保持し、前回取得した受信電波強度と今回取得した受信電波強度との間にサーチ実行レベルが含まれる場合に、チャネルサーチを実行するようにしてもよい。
【００２９】
また、チャネルサーチ部２０２は、受信電波強度測定部２００から取得した受信電波強度が最低受信レベル（例えば−１００ｄＢｍ）以下となった場合にも、チャネルサーチを実行する。そして、他のアクセスポイント３０からの受信電波強度が、自無線ＬＡＮ端末２０が帰属中のアクセスポイント３０からの受信電波強度よりも高い場合に、チャネルサーチ部２０２は、当該他のアクセスポイント３０へハンドオーバするようハンドオーバ処理部２０３へ指示する。ここで、最低受信レベルとは、無線ＬＡＮ端末２０がある程度の受信データのエラーを起こしつつも、通信を継続することができる最低の受信電波強度である。
【００３０】
ハンドオーバ処理部２０３は、チャネルサーチ部２０２からの指示に応じて、チャネルサーチ部２０２によって検出された他のアクセスポイント３０へのハンドオーバ処理を実行する。信号品質通知部２０４は、自無線ＬＡＮ端末２０が帰属中のアクセスポイント３０からの受信信号の品質を所定の時間間隔（例えば数ミリ秒）毎に測定し、測定した受信信号品質の最新の数十サンプルを保持する。
【００３１】
信号品質通知部２０４は、ハンドオーバ処理部２０３からハンドオーバ終了の旨を取得した場合に、ハンドオーバ前の数十サンプルの受信信号品質を保持すると共に、ハンドオーバ後の受信信号品質をさらに数十サンプル測定する。そして、信号品質通知部２０４は、ハンドオーバ前の数十サンプルの受信信号品質を平均してハンドオーバ前の受信信号品質を算出すると共に、ハンドオーバ後の数十サンプルの受信信号品質を平均してハンドオーバ後の受信信号品質を算出する。
【００３２】
また、信号品質通知部２０４は、ハンドオーバ処理部２０３からハンドオーバ終了の旨を取得した場合に、受信電波強度測定部２００から送られる、ハンドオーバ後のアクセスポイント３０からの受信電波強度を数十サンプル分保持し、保持した受信電波強度を平均してハンドオーバ後の受信電波強度を算出する。そして、信号品質通知部２０４は、算出したハンドオーバ前の受信信号品質、ハンドオーバ後の受信信号品質、およびハンドオーバ後の受信電波強度を、無線通信部２０６を介して、ハンドオーバ後のアクセスポイント３０へ通知する。
【００３３】
なお、他の例として、信号品質通知部２０４は、ハンドオーバ時点を基準として、ハンドオーバ時点から所定期間（例えば数十ミリ秒）前および後の受信信号品質および受信電波強度をそれぞれ測定し、それぞれ平均化して、ハンドオーバ後のアクセスポイント３０に通知してもよい。
【００３４】
図３は、サーチ実行レベル取得部２０１に格納されるデータの構造の一例を示す。サーチ実行レベル取得部２０１は、サーチ実行レベル２０１１を、当該サーチ実行レベル２０１０と共にアクセスポイント３０から取得したＭＡＣアドレス２０１０に対応付けて格納する。ＭＡＣアドレス２０１０は、アクセスポイント３０の識別情報の一例である。他の例として、サーチ実行レベル取得部２０１は、アクセスポイント３０の識別情報として、ＩＰアドレスや予め設定された識別番号等を用いてもよい。
【００３５】
サーチ実行レベル取得部２０１は、アクセスポイント３０から、既に格納しているＭＡＣアドレスと同一のＭＡＣアドレスと共にサーチ実行レベルを取得した場合、当該ＭＡＣアドレスに対応付けて既に格納されているサーチ実行レベルを、新たに取得したサーチ実行レベルで置き換える。これにより、無線ＬＡＮ端末２０は、アクセスポイント３０から通知される最新のサーチ実行レベルを格納することができる。
【００３６】
図４は、チャネルサーチ部２０２の処理の一例を説明するための概念図である。なお、図４では、説明を簡単にするために電波強度分布を直線で示している。
【００３７】
アクセスポイント３０からの電波強度分布は、無線ＬＡＮ端末２０がアクセスポイント３０から離れるに従って、４００に示すように低くなる。そして、無線ＬＡＮ端末２０が４０７に示す位置に移動した場合、自無線ＬＡＮ端末２０が帰属中のアクセスポイント３０からの受信電波強度４０４は、サーチ実行レベル４０３から、例えば０．５ｄＢ高い電波強度４０５と、サーチ実行レベル４０３から、例えば０．５ｄＢ低い電波強度４０６との間となり、チャネルサーチ部２０２は、チャネルサーチを実行する。
【００３８】
そして、チャネルサーチ部２０２は、他のアクセスポイント３０からの電波を検出し、かつ、当該他のアクセスポイント３０からの受信電波強度が、サーチ実行レベルよりも、例えば５ｄＢ以上高い場合に、当該他のアクセスポイント３０へのハンドオーバをハンドオーバ処理部２０３へ指示する。
【００３９】
図４において、他のアクセスポイント３０からの電波強度が４０１ａのように分布している場合、位置４０７における他のアクセスポイント３０からの電波強度４０２ａは、サーチ実行レベル４０３よりも５ｄＢ以上高いので、チャネルサーチ部２０２は、電波強度分布４０１ａの電波を送信しているアクセスポイント３０へのハンドオーバをハンドオーバ処理部２０３に指示する。
【００４０】
一方、他のアクセスポイント３０からの電波強度が４０１ｂのように分布している場合、位置４０７における他のアクセスポイント３０からの電波強度４０２ｂは、サーチ実行レベル４０３よりも高いものの、サーチ実行レベル４０３との差が５ｄＢ未満なので、チャネルサーチ部２０２は、電波強度分布４０１ｂの電波を送信しているアクセスポイント３０へのハンドオーバをハンドオーバ処理部２０３に指示しない。
【００４１】
同様に、他のアクセスポイント３０からの電波強度が４０１ｃのように分布している場合、位置４０７における他のアクセスポイント３０からの電波強度４０２ｃは、サーチ実行レベル４０３よりも低いので、チャネルサーチ部２０２は、電波強度分布４０１ｃの電波を送信しているアクセスポイント３０へのハンドオーバをハンドオーバ処理部２０３に指示しない。
【００４２】
このように、自無線ＬＡＮ端末２０が帰属中のアクセスポイント３０からの受信電波強度が、サーチ実行レベル４０３から所定の範囲内にある場合に起動されたチャネルサーチでは、サーチ実行レベル４０３よりも５ｄＢ以上高いアクセスポイント３０が存在する場合にのみハンドオーバを実行するので、ハンドオーバ後に元のアクセスポイント３０へさらにハンドオーバが実行されるいわゆる切り戻しを防止することができる。従って、無線ＬＡＮ端末２０は、確実にハンドオーバを行うことができる。
【００４３】
なお、チャネルサーチ部２０２は、チャネルサーチを行なった後にハンドオーバを実行しなかった場合には、所定期間（例えば数秒間）次のチャネルサーチを禁止するようにしてもよい。これにより、受信電波強度がサーチ実行レベル４０３近傍となり、かつ、サーチ実行レベル４０３よりも５ｄＢ以上受信電波強度が高いアクセスポイント３０が存在しない位置に自無線ＬＡＮ端末２０がとどまった場合に、チャネルサーチが無駄に繰り返されて、処理負荷が増大することを防止することができる。
【００４４】
図５および図６は、無線ＬＡＮ端末２０のハンドオーバ処理の一例を説明するための概念図である。なお、図５および図６では、説明を簡単にするために電波強度分布を直線で示している。
【００４５】
４１０ａは、アクセスポイント３０ａから送信される、サーチ実行レベル以上の電波強度を有するエリアを示す。４１０ｂは、アクセスポイント３０ｂから送信される、サーチ実行レベル以上の電波強度を有するエリアを示す。４１５は、サーチ実行レベルを示す。４１６は、ＲＢｍｉｎを示す。４１７は、最低受信レベルを示す。
【００４６】
無線ＬＡＮ端末２０が、アクセスポイント３０ａおよびアクセスポイント３０ｂの近傍を通過する移動ルート４１１を通る場合、移動ルート４１１上の電波強度分布は、４１２ａおよび４１２ｂに示すようになる。無線ＬＡＮ端末２０が、アクセスポイント３０ａ近傍から移動ルート４１１を通って、図５に示す位置に移動した場合、アクセスポイント３０ａからの受信電波強度は、サーチ実行レベル４１５近傍の４１４に示す値になり、無線ＬＡＮ端末２０のチャネルサーチ部２０２は、チャネルサーチを実行する。
【００４７】
そして、チャネルサーチ部２０２は、アクセスポイント３０ｂからの電波を検出し、４１３に示される受信電波強度を測定する。図５では、電波強度４１３とサーチ実行レベル４１５とは１０ｄＢの差があるものとする。チャネルサーチ部２０２は、サーチ実行レベル４１５よりも受信電波強度が５ｄＢ以上高い電波が送信されているアクセスポイント３０ｂを検出したので、当該アクセスポイント３０ｂへのハンドオーバをハンドオーバ処理部２０３へ指示する。
【００４８】
一方、図６に示すように、無線ＬＡＮ端末２０が、図５に示される場合よりもアクセスポイント３０ａおよびアクセスポイント３０ｂから離れた移動ルート４２０を通る場合、移動ルート４２０上の電波強度分布は、４２１ａおよび４２１ｂに示すようになる。無線ＬＡＮ端末２０が、移動ルート４２０に沿って図６に示す位置に移動した場合、アクセスポイント３０ａからの受信電波強度は、サーチ実行レベル４１５近傍の４２２に示す値になり、無線ＬＡＮ端末２０のチャネルサーチ部２０２は、チャネルサーチを実行する。
【００４９】
そして、チャネルサーチ部２０２は、アクセスポイント３０ｂからの電波を検出し、４２３に示される受信電波強度を測定する。図６では、電波強度４２３は、サーチ実行レベル４１５よりも低いので、チャネルサーチ部２０２は、図６に示す位置ではハンドオーバをハンドオーバ処理部２０３に指示しない。
【００５０】
その後、無線ＬＡＮ端末２０が移動ルート４２０に沿って移動し、電波強度４２５（受信電波強度が最低受信レベル４１７以下となる）位置に来た場合、チャネルサーチ部２０２は、チャネルサーチを実行する。そして、チャネルサーチ部２０２は、アクセスポイント３０ｂからの電波を検出し、４２４に示される受信電波強度を測定する。電波強度４２４は、電波強度４２５以上なので、チャネルサーチ部２０２は、アクセスポイント３０ｂへのハンドオーバをハンドオーバ処理部２０３へ指示する。
【００５１】
なお、図５の４１３に示される電波強度が、サーチ実行レベル４１５に対して５ｄＢ以上小さい場合には、サーチが繰り返されることになり、無駄な処理が発生し、通信パケットを取りこぼす等の不都合が生じる可能性がある。また、逆に、４１３に示される電波強度が、サーチ実行レベル４１５に対して２０ｄＢ以上大きい場合には、通信の品質を考えるともっと早い段階にハンドオーバを行うことが適切である。従って、サーチ実行レベル４１５をアクセスポイント３０毎にダイナミックに変更可能にすることが望まれる。本発明では、無線ＬＡＮ端末２０を使用するユーザが最も多く移動する経路の受信電波強度を、ハンドオーバ結果の統計データから算出し、図５に示すようにサーチ実行レベル４１５と、隣接するアクセスポイント３０の受信電波強度との関係が適切になるように、サーチ実行レベル４１５を変更可能にするものである。
【００５２】
このように、自無線ＬＡＮ端末２０が帰属中のアクセスポイント３０からの受信電波強度が、サーチ実行レベル付近にある場合、または最低受信レベル以下の場合に、チャネルサーチを実行するので、チャネルサーチを実行する回数を減少させることができる。これにより、チャネルサーチによる処理負荷や消費電力の増大を抑えることができる。
【００５３】
図７は、アクセスポイント３０の詳細な機能構成の一例を示す。アクセスポイント３０は、サーチ実行レベル格納部３００、サーチ実行レベル通知部３０１、サーチ実行レベル転送部３０２、サーチ実行レベル算出部３０３、信号品質取得部３０４、無線ＬＡＮ処理部３０５、有線通信部３０６、および無線通信部３０７を備える。
【００５４】
無線通信部３０７は、無線ＬＡＮ端末２０と無線ＬＡＮに基づく無線通信を行い、無線ＬＡＮ端末２０から受け取った通信データを有線通信部３０６へ送ると共に、有線通信部３０６から受け取ったデータを無線通信によって無線ＬＡＮ端末２０へ送る。本実施形態において、無線通信部３０７は、帰属処理や認証処理等の公知の無線ＬＡＮ通信に関する処理を行う。有線通信部３０６は、例えばイーサーネット（登録商標）等に基づいて、有線ＬＡＮ１１を介して他の通信機器と有線通信を行う。
【００５５】
信号品質取得部３０４は、他のアクセスポイント３０よりハンドオーバしてきた無線ＬＡＮ端末２０から、ハンドオーバ前後のアクセスポイント３０からの受信信号品質を、無線ＬＡＮ端末２０がハンドオーバ前に帰属していたアクセスポイント３０であるハンドオーバ前アクセスポイントの識別情報と共に、無線通信部３０７を介して取得する。また、信号品質取得部３０４は、当該無線ＬＡＮ端末２０がハンドオーバを行う前に帰属していたアクセスポイント３０から、当該無線ＬＡＮ端末２０から送信された電波の受信信号品質を、有線通信部３０６を介して取得する。さらに、信号品質取得部３０４は、品質測定部３０８によって測定された、当該無線ＬＡＮ端末２０から送信された電波の受信信号品質を取得する。
【００５６】
品質測定部３０８は、帰属中の無線ＬＡＮ端末２０からの受信信号品質を測定し、有線通信部３０６を介してハンドオーバ後のアクセスポイント３０へ通知する機能と、ハンドオーバ後の無線ＬＡＮ端末２０からの受信信号品質を測定して信号品質取得部３０４へ通知する機能とを有する。
【００５７】
サーチ実行レベル算出部３０３は、信号品質取得部３０４によって取得された受信信号品質に基づいて、ハンドオーバ前アクセスポイントから、自アクセスポイント３０へハンドオーバする場合に参照されるサーチ実行レベルを算出する。サーチ実行レベル算出部３０３は、例えば、以下に示す関係式に基づいて、サーチ実行レベルＲｔｈ（ｄＢｍ）を算出する。
Ｒｔｈ＝ＲＢｍｉｎ＋０．５×（ＲＡａｖｅ−ＲＢｍｉｎ）
【００５８】
ここで、ＲＢｍｉｎ（ｄＢｍ）は、予め定められた受信電波強度であり、例えば最低受信レベル＋１０ｄＢに設定される。ＲＡａｖｅ（ｄＢｍ）は、複数の無線ＬＡＮ端末２０から報告された、ハンドオーバ後の受信電波強度の平均である。
【００５９】
さらに、サーチ実行レベル算出部３０３は、ハンドオーバ前の受信信号品質がハンドオーバ後の受信信号品質よりも所定量（例えばＢＥＲが１％）以上悪い場合に、上記数１によって算出されたサーチ実行レベルに所定値（５ｄＢ）を加算することによって、ハンドオーバ前の受信電波強度が高い状態で早めにハンドオーバを実行させるようにしてもよい。
【００６０】
また、サーチ実行レベル算出部３０３は、ハンドオーバ前の受信信号品質がハンドオーバ後の受信信号品質よりも所定量（例えばＢＥＲが１％）以上良い場合に、上記数１によって算出されたサーチ実行レベルから所定値（５ｄＢ）を減算することによって、ハンドオーバ先のアクセスポイント３０からの受信電波強度が高くなってからハンドオーバを実行するようにしてもよい。
【００６１】
サーチ実行レベル転送部３０２は、サーチ実行レベル算出部３０３によって算出されたサーチ実行レベルを、ハンドオーバ前アクセスポイントの識別情報（本例ではＭＡＣアドレス）に基づいて、自アクセスポイント３０の識別情報（本例ではＭＡＣアドレス）と共に、有線通信部３０６を介して、ハンドオーバ前アクセスポイントへ転送する。
【００６２】
サーチ実行レベル格納部３００は、他のアクセスポイント３０から、有線通信部３０６を介して、当該他のアクセスポイント３０の識別情報およびサーチ実行レベルを受け取った場合に、当該サーチ実行レベルを当該他のアクセスポイント３０の識別情報に対応付けて格納する。異なる識別情報に対応付けられた複数のサーチ実行レベルを受信した場合、サーチ実行レベル格納部３００は、識別情報毎に、図３に示すような形式で、複数のサーチ実行レベルを格納する。
【００６３】
サーチ実行レベル通知部３０１は、サーチ実行レベル格納部３００に格納されたサーチ実行レベルが更新された場合や、自アクセスポイント３０に新たに無線ＬＡＮ端末２０が帰属した場合等、あるいは、ビーコンを用いて定期的に、サーチ実行レベル格納部３００に格納されたサーチ実行レベルを、対応するアクセスポイント３０の識別情報と共に、無線通信を用いて、配下の無線ＬＡＮ端末２０に通知する。
【００６４】
図８は、無線ＬＡＮ端末２０の動作の一例を示すフローチャートである。例えば、無線通信を開始することにより、無線ＬＡＮ端末２０は、本フローチャートに示す処理を開始する。
【００６５】
まず、受信電波強度測定部２００は、無線通信部２０６を介して、自無線ＬＡＮ端末２０が帰属中のアクセスポイント３０からの受信電波強度を測定する（Ｓ１００）。そして、チャネルサーチ部２０２は、受信電波強度がサーチ実行レベルから所定範囲内にあるか否かを判定する（Ｓ１０１）。サーチ実行レベルから所定範囲内にある場合（Ｓ１０１：Ｙｅｓ）、無線ＬＡＮ端末２０は、サーチ実行レベルによって起動されるチャネルサーチ処理を実行し（Ｓ１１０）、通信を終了するか否かを判定する（Ｓ１０２）。
【００６６】
通信を継続する場合（Ｓ１０２：Ｎｏ）、受信電波強度測定部２００は、再びステップ１００に示す処理を実行する。通信を終了する場合（Ｓ１０２：Ｙｅｓ）、無線ＬＡＮ端末２０は、通信を終了させ、本フローチャートに示す処理を終了する。
【００６７】
受信電波強度がサーチ実行レベルから所定範囲内にない場合（Ｓ１０１：Ｎｏ）、チャネルサーチ部２０２は、受信電波強度が最低受信レベル以下か否かを判定する（Ｓ１０３）。受信電波強度が最低受信レベル以下でない場合（Ｓ１０３：Ｎｏ）、無線ＬＡＮ端末２０は、ステップ１０２に示した処理を実行する。受信電波強度が最低受信レベル以下の場合（Ｓ１０３：Ｙｅｓ）、無線ＬＡＮ端末２０は、最低受信レベルによって起動されるチャネルサーチ処理を実行する（Ｓ１２０）。
【００６８】
図９は、ステップ１１０の詳細な処理の一例を示すフローチャートである。
【００６９】
受信電波強度がサーチ実行レベルから所定範囲内にある場合（Ｓ１０１：Ｙｅｓ）、チャネルサーチ部２０２は、チャネルサーチを実行する（Ｓ１１１）。そして、チャネルサーチ部２０２は、他のアクセスポイント３０が検出されたか否かを判定する（Ｓ１１２）。他のアクセスポイント３０が検出されなかった場合（Ｓ１１２：Ｎｏ）、チャネルサーチ部２０２は、無線ＬＡＮシステム１０において予め設定された使用可能な全てのチャネルについて、チャネルサーチを実行したか否かを判定する（Ｓ１１７）。
【００７０】
全チャネルについてチャネルサーチを実行した場合（Ｓ１１７：Ｙｅｓ）、受信電波強度測定部２００は、再びステップ１００に示す処理を実行する。全チャネルについてチャネルサーチを実行していない場合（Ｓ１１７：Ｎｏ）、チャネルサーチ部２０２は、チャネルを変更して再びステップ１１１に示した処理を実行する。
【００７１】
チャネルサーチによって、他のアクセスポイント３０が検出された場合（Ｓ１１２：Ｙｅｓ）、チャネルサーチ部２０２は、検出された他のアクセスポイント３０からの受信電波強度が、サーチ実行レベルよりも所定値（例えば５ｄＢ）以上高いか否かを判定する（Ｓ１１３）。検出された他のアクセスポイント３０からの受信電波強度が、サーチ実行レベルとの差が所定値未満、またはサーチ実行レベル以下の場合（Ｓ１１３：Ｎｏ）、チャネルサーチ部２０２は、ステップ１１７に示した処理を実行する。
【００７２】
検出された他のアクセスポイント３０からの受信電波強度が、サーチ実行レベルよりも所定値以上高い場合（Ｓ１１３：Ｙｅｓ）、チャネルサーチ部２０２は、検出した他のアクセスポイント３０へのハンドオーバをハンドオーバ処理部２０３に指示する。ハンドオーバ処理部２０３は、チャネルサーチ部２０２が検出した他のアクセスポイント３０へのハンドオーバ処理を実行する（Ｓ１１４）。
【００７３】
そして、サーチ実行レベル取得部２０１は、ハンドオーバ前に格納していたサーチ実行レベルを全て消去し、ハンドオーバ後に新たにアクセスポイント３０から通知されたサーチ実行レベルを取得して格納する（Ｓ１１５）。そして、信号品質通知部２０４は、ハンドオーバ前後の受信号品質を無線通信部２０６を介してハンドオーバ後のアクセスポイント３０に通知し（Ｓ１１６）、無線ＬＡＮ端末２０は、ステップ１０２に示した処理を実行する。
【００７４】
図１０は、ステップ１２０の詳細な処理の一例を示すフローチャートである。
【００７５】
受信電波強度が最低受信レベル以下の場合（Ｓ１０３：Ｙｅｓ）、チャネルサーチ部２０２は、チャネルサーチを実行する（Ｓ１２１）。そして、チャネルサーチ部２０２は、他のアクセスポイント３０が検出されたか否かを判定する（Ｓ１２２）。他のアクセスポイント３０が検出されなかった場合（Ｓ１２２：Ｎｏ）、チャネルサーチ部２０２は、ステップ１２６に示す処理を実行する。
【００７６】
他のアクセスポイント３０が検出された場合（Ｓ１２２：Ｙｅｓ）、チャネルサーチ部２０２は、検出された他のアクセスポイント３０からの受信電波強度が、自無線ＬＡＮ端末２０が帰属中のアクセスポイント３０からの受信電波強度よりも高いか否かを判定する（Ｓ１２３）。
【００７７】
検出された他のアクセスポイント３０からの受信電波強度が、自無線ＬＡＮ端末２０が帰属中のアクセスポイント３０からの受信電波強度よりも高い場合（Ｓ１２３：Ｙｅｓ）、チャネルサーチ部２０２は、検出した他のアクセスポイント３０へのハンドオーバをハンドオーバ処理部２０３に指示する。ハンドオーバ処理部２０３は、チャネルサーチ部２０２が検出した他のアクセスポイント３０へのハンドオーバ処理を実行する（Ｓ１２４）。そして、サーチ実行レベル取得部２０１は、ハンドオーバ前に格納していたサーチ実行レベルを全て消去し、ハンドオーバ後に新たにアクセスポイント３０から通知されたサーチ実行レベルを取得して格納し（Ｓ１２５）、無線ＬＡＮ端末２０は、ステップ１０２に示した処理を実行する。
【００７８】
検出された他のアクセスポイント３０からの受信電波強度が、自無線ＬＡＮ端末２０が帰属中のアクセスポイント３０からの受信電波強度よりも低い場合（Ｓ１２３：Ｎｏ）、チャネルサーチ部２０２は、無線ＬＡＮシステム１０において予め設定された使用可能な全てのチャネルについて、チャネルサーチを実行したか否かを判定する（Ｓ１２６）。全チャネルについてチャネルサーチを実行していない場合（Ｓ１２６：Ｎｏ）、チャネルサーチ部２０２は、再びステップ１２１に示した処理を実行する。
【００７９】
全チャネルについてチャネルサーチを実行した場合（Ｓ１２６：Ｙｅｓ）、無線ＬＡＮ端末２０は、通信の継続が可能か否かを判定する（Ｓ１２７）。通信の継続が可能な場合（Ｓ１２７：Ｙｅｓ）、無線ＬＡＮ端末２０は、ステップ１０２に示した処理を実行する。データのエラー等が多発して通信をこれ以上継続することができない場合（Ｓ１２７：Ｎｏ）、無線ＬＡＮ端末２０は、通信を終了させ、本フローチャートに示す処理を終了する。
【００８０】
図１１は、アクセスポイント３０の動作の一例を示すフローチャートである。例えば、電源を投入される等の所定のタイミングで、アクセスポイント３０は、本フローチャートに示す処理を開始する。
【００８１】
まず、信号品質取得部３０４は、他のアクセスポイント３０よりハンドオーバしてきた無線ＬＡＮ端末２０から、ハンドオーバ前後の受信信号品質を、無線ＬＡＮ端末２０がハンドオーバ前に帰属していたアクセスポイント３０の識別情報と共に、無線通信部３０７を介して取得したか否かを判定する（Ｓ２００）。受信信号品質を受信した場合（Ｓ２００：Ｙｅｓ）、サーチ実行レベル算出部３０３は、ハンドオーバ後の受信電波強度を用いて、前述の数１に基づいてサーチ実行レベルを算出する（Ｓ２０１）。そして、サーチ実行レベル算出部３０３は、ハンドオーバ前の受信信号品質がハンドオーバ後の受信信号品質よりも所定量以上悪いか否かを判定する（Ｓ２０２）。
【００８２】
ハンドオーバ前の受信信号品質がハンドオーバ後の受信信号品質よりも所定量以上悪い場合（Ｓ２０２：Ｙｅｓ）、信号品質取得部３０４は、自アクセスポイント３０へハンドオーバした無線ＬＡＮ端末２０からの受信信号品質を、品質測定部３０８から取得する（Ｓ２０３）。そして、品質測定部３０８は、自アクセスポイント３０へハンドオーバしてきた無線ＬＡＮ端末２０がハンドオーバ前に帰属していたアクセスポイント３０から、当該無線ＬＡＮ端末２０のハンドオーバ前の受信信号品質を取得し、信号品質取得部３０４へ送る（Ｓ２０４）。
【００８３】
次に、サーチ実行レベル算出部３０３は、ステップ２０２において算出したサーチ実行レベルに所定値を加える（Ｓ２０５）。そして、サーチ実行レベル転送部３０２は、サーチ実行レベル算出部３０３によって算出されたサーチ実行レベルを、ハンドオーバ前のアクセスポイント３０の識別情報に基づいて、自アクセスポイント３０の識別情報と共に、有線通信部３０６を介して、ハンドオーバ前のアクセスポイント３０へ転送し（Ｓ２０６）、信号品質取得部３０４は、再びステップ２００に示した処理を実行する。
【００８４】
ハンドオーバ前の受信信号品質がハンドオーバ後の受信信号品質よりも所定量以上悪くない場合（Ｓ２０２：Ｎｏ）、サーチ実行レベル算出部３０３は、ハンドオーバ前の受信信号品質がハンドオーバ後の受信信号品質よりも所定量以上良いか否かを判定する（Ｓ２０７）。ハンドオーバ前の受信信号品質がハンドオーバ後の受信信号品質よりも所定量以上良くない場合（Ｓ２０７：Ｎｏ）、信号品質取得部３０４は、再びステップ２００に示した処理を実行する。
【００８５】
ハンドオーバ前の受信信号品質がハンドオーバ後の受信信号品質よりも所定量以上良い場合（Ｓ２０７：Ｙｅｓ）、サーチ実行レベル算出部３０３は、ステップ２０２において算出したサーチ実行レベルから所定値を減じ（Ｓ２０８）、サーチ実行レベル転送部３０２は、ステップ２０６に示した処理を実行する。
【００８６】
ステップ２００において、受信信号品質を受信していない場合（Ｓ２００：Ｎｏ）、サーチ実行レベル格納部３００は、有線通信部３０６を介して、他のアクセスポイント３０からサーチ実行レベルを通知されたか否かを判定する（Ｓ２０９）。他のアクセスポイント３０からサーチ実行レベルを通知された場合（Ｓ２０９：Ｙｅｓ）、サーチ実行レベル格納部３００は、通知されたサーチ実行レベルを取得して格納する。そして、サーチ実行レベル通知部３０１は、サーチ実行レベル格納部３００に新たに格納されたサーチ実行レベルを、現在帰属中の無線ＬＡＮ端末２０へ通知し（Ｓ２１０）、信号品質取得部３０４は、再びステップ２００に示した処理を実行する。
【００８７】
他のアクセスポイント３０からサーチ実行レベルを通知されていない場合（Ｓ２０９：Ｎｏ）、サーチ実行レベル通知部３０１は、無線ＬＡＮ端末２０が新たに帰属したか否かを判定する（Ｓ２１１）。無線ＬＡＮ端末２０が新たに帰属した場合（Ｓ２１１：Ｙｅｓ）、サーチ実行レベル通知部３０１は、サーチ実行レベル格納部３００に格納されているサーチ実行レベルを、新たに帰属した無線ＬＡＮ端末２０へ、無線通信部３０７を介して通知し（Ｓ２１２）、信号品質取得部３０４は、再びステップ２００に示した処理を実行する。
【００８８】
無線ＬＡＮ端末２０が新たに帰属していない場合（Ｓ２１１：Ｎｏ）、品質測定部３０８は、自アクセスポイント３０に帰属していた無線ＬＡＮ端末２０が他のアクセスポイント３０へハンドオーバしたか否かを判定する（Ｓ２１３）。自アクセスポイント３０に帰属していた無線ＬＡＮ端末２０が他のアクセスポイント３０へハンドオーバしていない場合（Ｓ２１３：Ｎｏ）、信号品質取得部３０４は、再びステップ２００に示した処理を実行する。
【００８９】
自アクセスポイント３０に帰属していた無線ＬＡＮ端末２０が他のアクセスポイント３０へハンドオーバした場合（Ｓ２１３：Ｙｅｓ）、品質測定部３０８は、当該無線ＬＡＮ端末２０が他のアクセスポイント３０へハンドオーバする前の受信信号品質を記録する（Ｓ２１４）。そして、品質測定部３０８は、記録した受信信号品質を、有線通信部３０６を介して当該無線ＬＡＮ端末２０のハンドオーバ先のアクセスポイント３０へ送信し（Ｓ２１５）、信号品質取得部３０４は、再びステップ２００に示した処理を実行する。
【００９０】
以上、本発明の第１の実施形態について説明した。
【００９１】
上記説明から明らかなように、本実施形態の無線ＬＡＮシステム１０によれば、複数のアクセスポイントが配置される無線ＬＡＮシステムにおいて、アクセスポイントの電波が他のＡＰへ届かないように配置された場合であっても、ハンドオーバの開始を判定するための閾値を適切に算出することができる。また、ハンドオーバを実行する際のチャネルサーチを行う回数を少なくすることができ、処理負荷および消費電力の増大を抑えることができる。
【００９２】
以上、本発明を実施の形態を用いて説明したが、本発明の技術的範囲は上記した実施の形態に記載の範囲には限定されない。また、上記した実施の形態に、多様な変更または改良を加えることが可能であることが当業者にとって明らかである。さらに、そのような変更または改良を加えた形態も本発明の技術的範囲に含まれ得ることが、特許請求の範囲の記載から明らかである。
【図面の簡単な説明】
【００９３】
【図１】本発明の実施形態に係る無線ＬＡＮシステム１０の構成の一例を示すシステム構成図である。
【図２】無線ＬＡＮ端末２０の詳細な機能構成の一例を示すブロック図である。
【図３】サーチ実行レベル取得部２０１に格納されるデータの構造の一例を示す説明図である。
【図４】チャネルサーチ部２０２の処理の一例を説明するための概念図である。
【図５】無線ＬＡＮ端末２０のハンドオーバ処理の一例を説明するための概念図である。
【図６】無線ＬＡＮ端末２０のハンドオーバ処理の一例を説明するための概念図である。
【図７】アクセスポイント３０の詳細な機能構成の一例を示すブロック図である。
【図８】無線ＬＡＮ端末２０の動作の一例を示すフローチャートである。
【図９】ステップ１１０の詳細な処理の一例を示すフローチャートである。
【図１０】ステップ１２０の詳細な処理の一例を示すフローチャートである。
【図１１】アクセスポイント３０の動作の一例を示すフローチャートである。
【符号の説明】
【００９４】
１０・・・無線ＬＡＮシステム、１１・・・有線ＬＡＮ、１２・・・通信機器、２０・・・無線ＬＡＮ端末、２００・・・受信電波強度測定部、２０１・・・サーチ実行レベル取得部、２０１０・・・ＭＡＣアドレス、２０１１・・・サーチ実行レベル、２０２・・・チャネルサーチ部、２０３・・・ハンドオーバ処理部、２０４・・・信号品質通知部、２０５・・・通信データ処理部、２０６・・・無線通信部、３０・・・アクセスポイント、３００・・・サーチ実行レベル格納部、３０１・・・サーチ実行レベル通知部、３０２・・・サーチ実行レベル転送部、３０３・・・サーチ実行レベル算出部、３０４・・・信号品質取得部、３０６・・・有線通信部、３０７・・・無線通信部、３０８・・・品質測定部、３１、４００、４０１、４１２、４２１・・・電波強度分布、４０２、４０５、４０６、４１３、４１４、４２２、４２３、４２４、４２５・・・電波強度、４０３、４１５・・・サーチ実行レベル、４０４・・・受信電波強度、４０７・・・位置、４１０・・・領域、４１１・・・移動ルート、４２０・・・移動ルート、４１６・・・Ｒｍｉｎ、４１７・・・最低受信レベル
【図１】
0004686374.tif 000002
【図２】
0004686374.tif 000003
【図３】
0004686374.tif 000004
【図４】
0004686374.tif 000005
【図５】
0004686374.tif 000006
【図６】
0004686374.tif 000007
【図７】
0004686374.tif 000008
【図８】
0004686374.tif 000009
【図９】
0004686374.tif 000010
【図１０】
0004686374.tif 000011
【図１１】
0004686374.tif 000012